(57)【特許請求の範囲】
【請求項１】
塵芥収容口に開閉扉を有し、車体側に着脱自在に取付けられた塵芥収容箱と、この塵芥収容箱の塵芥収容口側で車体に回動自在に支持された塵芥押込装置とを有する塵芥収集車において、第１の押込板を塵芥収容口に隣接した塵芥収容箱の部位に軸支し、第１の押込板を塵芥収容口に設けた開閉扉に平行リンク機構を介して連結し、開閉扉を自重で塵芥収容口を閉じるようにするとともに第２の押込板を塵芥押込装置に設け、第２の押込板を塵芥収容箱に設けた第１の押込板と同軸線上で回動するように係合し、塵芥押込時に、第１の押込板と第２の押込板を一体的に回動させることを特徴とする塵芥収集車。
【請求項２】
第１の押込板にその反転を防止するための押込板停止装置を設け、塵芥押込装置に塵芥押込装置を塵芥収容箱に緊締するための緊締装置を設け、押込板停止装置と緊締装置を連動装置で連結し、この連動装置は、塵芥収容箱を車体から下ろすために、押込板停止装置が第１の押込板を塵芥収容口を閉じる位置に停止させた時に、緊締装置が塵芥押込装置を塵芥収容箱に切り離すように緊締装置を作動させることを特徴とする請求項１に記載の塵芥収集車。
【発明の詳細な説明】
【０００１】
【発明の属する技術分野】
本発明は、着脱自在に搭載されるコンテナ型塵芥収集箱を備えた塵芥収集車に関する。
【０００２】
【従来の技術】
家庭の塵芥を小型車両の塵芥コンテナで収集し、満載になった塵芥コンテナを小型車両から輸送容量の大きな大型車両に乗せ換え、満載になった塵芥コンテナを大型車両により塵芥焼却場に輸送する形式の塵芥コンテナの輸送システムは、たとえば、特公昭５３−４６９２号公報に記載されている。
【０００３】
塵芥コンテナの輸送システムに使用される塵芥収集車として、車体に塵芥収集口を設けた箱型容器を着脱自在に搭載し、塵芥押込装置を押出口が箱型容器の塵芥収集口に臨むように配置した構造のものは、たとえば、特公昭５２−２１７６９号公報に記載されている。
【０００４】
塵芥収集車の塵芥押込装置として、枢着軸及び軸等により形成される四つ棒リンク機構の先端部に小扉を設け、この小扉を塵芥押込装置の枢着軸を支点とした回動に連動して自重により下降させて箱型容器の塵芥収容口を閉鎖する構造のものは、特公昭５０−２４４９８号公報に記載されている。
【０００５】
塵芥収集車の扉開閉装置として、塵芥押込装置と箱型容器の塵芥収容口に設けた小扉を伝達機構を介して連結し、塵芥押込装置の回動操作に連動して小扉を昇降させる構造のものは、特公昭５２−２１７７０号公報に記載されている。
【０００６】
塵芥収集車の箱型容器の押込板停止装置として、塵芥処理装置に設けた開閉蓋に連結する連結機構と開閉蓋を塵芥収容箱に固縛する鎖錠機構とを備え、連結機構と鎖錠機構を連動機構で連結し、この連動機構により連結機構の作動時に鎖錠機構を解錠し、連結機構の非作動時に鎖錠機構を施錠する構造のものは、特公昭５１−４０６９３号公報に記載されている。
【０００７】
塵芥収集車の塵芥押込装置の反転機構として、架台後端に支柱を立設し、この支柱の上端に塵芥押込装置を枢支し、この塵芥押込装置と支柱の間に油圧シリンダーを連結し、油圧シリンダーの伸縮により塵芥押込装置を枢支部を支点として後上方に反転するようにした構造のものは知られている。
【０００８】
【発明が解決しようとする課題】
上記塵芥コンテナの輸送システムでは、小型車両で収集されて満載になった塵芥コンテナを、中継施設において、輸送容量の大きな大型車両に乗せ換え、大型車両により満載になった塵芥コンテナを、塵芥焼却場に輸送するため、中継施設において乗せ換える時に、減容できないので、輸送量が少なくなってしまうという問題点がある。
【０００９】
上記塵芥収集車の塵芥押込装置では、塵芥収容箱と塵芥収容口とを接続している塵芥押込装置を分離する時、収容口が一時開放状態になるため、圧縮して収容箱に収容した塵芥が、塵芥の弾性により膨張し、塵芥収容箱の塵芥収容口から汚水とともに外部に飛散するという問題がある。
【００１０】
上記塵芥収集車の扉開閉装置では、塵芥収容箱の高さに対し、扉で収容口を閉鎖する部分と収容する部分が必要となるため、扉の大きさが制限され、塵芥押込装置の押込板の大きさも制限され、塵芥押込装置の機械的圧力により塵芥は圧縮されるものの、圧縮面積が小さいため、収容箱の塵芥の収容密度が上がらず、また、塵芥収容口に接続した塵芥押込装置の回動操作に関連して、塵芥収容口の扉開閉機構に何らかの異常や変形が生じた場合、機械的な相互を失い開閉機構に大きな損傷を及ぼすことがある等の問題点が残っている。
【００１１】
上記塵芥収集車の箱型容器の押込板停止装置では、特別に小油圧シリンダーを開閉蓋の回動用伸縮シリンダーに取付け、小油圧シリンダーを作動させて開閉蓋と回動用伸縮シリンダーを連結及び解除しなければならず、部品点数の増加となり、取付け工数も大きくなり、また、回動伸縮シリンダーのピストンロッド先端に、連結用の係止爪を作動するためのリンク機構も取付るため、汎用の伸縮シリンダーが使えず、特殊な伸縮シリンダーになり、複雑、且つ高価な部品となってしまい、しかも、開閉蓋と開閉蓋の回動伸縮シリンダーを切り離し緊締装置を作動させ、塵芥処理枠を反転すると、回動伸縮シリンダーが２点支持から１点支持になってしまうため、回動伸縮シリンダーがシリンダーの枢支中心に回動してしまい、開閉蓋との連結係止位置が失なわれ、この状態で、再び開閉蓋に連結する場合、連結位置合わせを行ってから連結しなければならないという問題があり操作が困難であるという問題点が残っている。
【００１２】
上記塵芥収集車の塵芥押込装置の反転機構では、塵芥積込装置の枢支部が塵芥収集車の上方にあるため、この枢支部を支点に塵芥押込装置を反転すると、塵芥押込装置が高い位置に持ち上げられ、この状態でコンテナ型塵芥収容箱を降ろすと、車全体の安定性が悪くなってしまい、また、コンテナ型塵芥収容箱を着脱する際、支柱が障害となり、積み降ろしの作業性が悪く、コンテナ型塵芥収容箱の接触による外板の傷で美観を損ねるという問題点がある。
【００１３】
本発明は、上記した点を考慮してなされたもので、上記問題点を解消する塵芥収集車を提供することを目的とする。
【００１４】
【課題を解決するための手段】
本発明の塵芥収集車は、塵芥収容口に開閉扉を有し、車体側に着脱自在に取付けられた塵芥収容箱と、この塵芥収容箱の塵芥収容口側で車体に回動自在に支持された塵芥押込装置とを有し、第１の押込板を塵芥収容口に隣接した塵芥収容箱の部位に軸支し、第１の押込板を塵芥収容口に設けた開閉扉に平行リンク機構を介して連結し、開閉扉を自重で塵芥収容口を閉じるようにするとともに第２の押込板を塵芥押込装置に設け、第２の押込板を塵芥収容箱に設けた第１の押込板と同軸線上で回動するように係合し、塵芥押込時に、第１の押込板と第２の押込板を一体的に回動させるように構成される。
【００１５】
【発明の実施の形態】
以下本発明の実施の形態を図面を参照して説明する。
図１は本発明の塵芥収集車を用いたコンテナ式輸送システムの工程順を示す概略図である。
【００１６】
図１に示すコンテナ式輸送システム１００は、家庭等から出る塵芥をコンテナ形塵芥収容箱を着脱自在に設けた塵芥収集車で収集する塵芥収集工程１０１と、塵芥収容箱に収集された塵芥を第１ターミナルに集める塵芥収容箱収集工程１０２と、第１ターミナルに収集された塵芥収容箱を目的地に搬送する鉄道車両による搬送工程１０３と、目的地に搬送された塵芥収容箱を第２ターミナルに運ぶ第１運搬工程１０４と、第２ターミナルに搬送された塵芥収容箱を処理施設に運ぶ第２運搬工程１０５とから構成されている。
【００１７】
上記塵芥収集工程１０１においては、家庭等から出る塵芥は、コンテナ形塵芥収容箱１０６を着脱自在に設けた塵芥収集車１０７により収集される。塵芥をコンテナ形塵芥収容箱１０６に満杯とした塵芥収集車１０７は、塵芥収容箱収集工程１０２に集められる。
【００１８】
上記塵芥収容箱収集工程１０２においては、塵芥を満杯としたコンテナ形塵芥収容箱１０６は、塵芥収集車１０７から下される。塵芥収集車１０７から下されたコンテナ形塵芥収容箱１０６は、フォークリフト車１０８により第１ターミナルのコンテナ置き場１０９に２段に積み重ねた状態に置かれる。また、コンテナ形塵芥収容箱１０６を下ろした塵芥収集車１０７は、第１ターミナルの空コンテナ置き場１０９ａに２段に積み重ねた空の塵芥収容箱１０６ａをフォークリフト車１０８により搭載した後、塵芥収集工程１０１に戻される。
【００１９】
上記搬送工程１０３においては、第１ターミナルのコンテナ置き場１０９に収集された塵芥収容箱１０６は、フォークリフト車１０８により鉄道車両１１０に積載される。鉄道車両１１０は、たとえば、２０フィートコンテナまたは１２フィートコンテナである。鉄道車両１１０は、積載された塵芥を処理すべき目的地に搬送される。また、搬送工程１０３に戻された空の塵芥収容箱１０６ａは、フォークリフト車１０８により第１ターミナルの空コンテナ置き場１０９ａに２段に積み重ねられる。
【００２０】
上記第１運搬工程１０４においては、鉄道車両１１０から下ろされた塵芥収容箱１０６は、フォークリフト車１１１により、ダンブ排出式コンテナ輸送車１１２に積載される。ダンブ排出式コンテナ輸送車１１２に積載された塵芥収容箱１０６は、第２運搬工程１０５に運ばれる。
【００２１】
第２運搬工程１０５においては、塵芥収容箱１０６は、ダンブ排出式コンテナ輸送車１１２に積載され、ゴミピット１１３に運ばれる。ゴミピット１１３に運ばれた塵芥は通常の処理手段により処理される。
【００２２】
図２に示すコンテナ式輸送システム１００ａは、図１に示すコンテナ式輸送システム１００と比較すると、第１運搬工程１０４に使用されるコンテナ輸送車が相違している。図２に示すコンテナ式輸送システム１００ａの第１運搬工程１０４に使用されるコンテナ輸送車１１２ａは、サイドダンブ排出式コンテナ輸送車である。
【００２３】
図３に示すコンテナ式輸送システム１００ｂは、図１に示すコンテナ式輸送システム１００と比較すると、第１運搬工程１０４に使用されるコンテナ輸送車が相違している。図３に示すコンテナ式輸送システム１００ｂの第１運搬工程１０４に使用される輸送車１１２ｂは、４つのコンテナを搭載するタイプのコンテナ輸送車である。
【００２４】
図３に示すコンテナ式輸送システム１００ｂにおいては、第２運搬工程１０５において、輸送車１１２ｂに搭載されたコンテナ（塵芥収容箱）１０６をフォークリフト車１０８ａにより輸送車１１２ｂより下ろし、下ろしたコンテナ１０６は２段に積層される。その後、コンテナ１０６はフォークリフト車１０８ａによりゴミピット１１３に運ばれ、コンテナ１０６に収集された塵芥は、ゴミピット１１３に落とされる。ゴミピット１１３に運ばれた塵芥は通常の処理手段により処理される。
【００２５】
図４は、本発明の塵芥収集車１をコンテナ式輸送システム１００に適用した一例を示す。この塵芥収集車１は、シャシー２に搭載された架台３の上にコンテナ型塵芥収容箱４を図示しない固縛装置を介して着脱自在に搭載している。上記塵芥収容箱４は、後面に塵芥収容口５を有し、この塵芥収容口５に開閉扉６が塵芥収容口５を開閉するように配置されている。開閉扉６は、図５に示す開いた位置と図６に示す閉じた位置に置かれる。開閉扉６は、図６の閉じた位置では、自重で下方向に動き、下端が塵芥収容口５の下縁に設けた支持部７の上に乗って、塵芥収容口５を閉じる。
【００２６】
図５に示すように、塵芥収容箱４の塵芥収容口５に近接して塵芥収容箱４の内部に塵芥を押し込むための押込板８が配置されている。この押込板８は、長手方向中間より上方の部位で水平軸８ａに支持され、この水平軸８ａを中心に垂直方向に回動する。押込板８は、水平軸８ａの両側部分を一対のヒンジアーム９，９により形成される平行リンク手段を介して開閉扉６に連結されている。
【００２７】
また、塵芥収容箱４の塵芥収容口５に隣接して塵芥押込装置１０が配置されている。この塵芥押込装置１０は、図５に示すように、前端上部を架台３の後部に軸１１を介して回動自在に支持されている。塵芥押込装置１０には、油圧シリンダー１２の伸縮により揺動する押込板１３が設けられている。押込板１３は、図６に示すように、塵芥押込装置１０の支持部１４に軸１４ａを介して回動自在に支持されている。
【００２８】
塵芥収集車１の塵芥押込装置１０は、図４で実線で示す作用位置と図４で２点鎖線で示す不作用位置の間を軸１１を中心に回動する。塵芥収容箱４の押込板８は、塵芥押込装置１０が図４で実線で示す作用位置にある時、図５に示すように、塵芥押込装置１０の押込板１３に係合する。この時、押込板１３に設けた軸１４ａは、押込板８に設けた水平軸８ａと同一軸線上に位置する。したがって、塵芥収容箱４の押込板８と塵芥押込装置１０の押込板１３が互いに係合し、押込板１３が油圧シリンダー１２の伸縮により軸１４ａを中心に揺動した時、この押込板１３に係合する押込板８も、軸１４ａと同一軸線上に位置する水平軸８ａを中心に一体的に揺動する。
【００２９】
また、塵芥押込装置１０の支持部１４は、塵芥収容箱４の押込板８が塵芥押込装置１０の押込板１３に係合する時、開閉扉６に設けた係合部６ａに係合し、開閉扉６は、図５に示す上昇位置に動き、これにより、塵芥収容口５は開いた状態となる。
【００３０】
さらに、塵芥収容箱４の押込板８には、開閉扉６を図６に示す閉じた位置に保つための係止孔１５が形成されている。この係止孔１５は、押込板８が図６に示す位置にある時、塵芥収容箱４に設けた図示しない係合孔に一致し、ストッパピン１６を係止孔１５を通して塵芥収容箱４に設けた係合孔に装着することで、塵芥収容箱４に設けた押込板８をその位置に固定する。これにより、押込板８に平行リンク手段を介して連結された開閉扉６は、塵芥収容口５を閉じる位置に保持されることになる。
【００３１】
しかして、塵芥収集車１の塵芥収集時においては、塵芥収容箱４と塵芥押込装置１０は、図４で実線で示す互いに係合した状態にあり、塵芥収容箱４の塵芥収容口５に軸着された押込板８と塵芥押込装置１０に設けた押込板１３は、図５で示すように、揺動中心が同一直線上に位置するように係合され、押込板１３が油圧シリンダー１２の伸縮により軸１４ａを中心に揺動すると、この押込板１３に係合する押込板８も軸８ａを中心に揺動し、押込板１３と押込板８は、一体的に揺動し、押込板１３と押込板８により塵芥押込装置１０の塵芥を塵芥収容口５を通して塵芥収容箱４内に押込む。また、開閉扉６は、塵芥押込作用時に、押込板８と押込板１３の間に挟まった状態で油圧シリンダの伸縮により揺動する。
【００３２】
塵芥収容箱４内の塵芥が満杯になったら、塵芥収容口５と接続している塵芥押込装置１０を塵芥収容箱４から切り離し、この塵芥押込装置１０を図４で２点鎖線で示す不作用位置に回動する。この時、塵芥収容口５が一時開放状態になるため、塵芥収容箱４に収容された塵芥が、具有する弾性力により膨張して塵芥収容口５から外部に飛散することがある。そのため、この状態において、押込板８に設けた係止孔１５にストッパピン１６を挿通し、このストッパピン１６を塵芥収容箱４に設けた図示しない係合孔に装着する。そして、押込板８の回動を阻止した後、架台３に枢支された塵芥押込装置１０を塵芥収容箱４の載せ替えに影響しない位置まで回動する。これにより、押込板８は、図６に示す位置に固定される。
【００３３】
これと同時に、押込板８に平行リンクで連結された開閉扉６は、自重により時計方向に回動し、塵芥収容箱４の支持部７の上に乗り、塵芥収容箱４の塵芥収容口５を瞬時に閉鎖する。このように、塵芥収容箱４の塵芥収容口５を開閉扉６により閉鎖することで、塵芥収容箱４を塵芥押込装置１０から離脱する際に、塵芥，汚水が塵芥収容口５から外部へ流出することが防止され、塵芥収容箱４の載せ替え作業を衛生的に行うことができる。
【００３４】
したがって、塵芥収容箱内の塵芥が満杯になった状態で、塵芥収容口と接続している塵芥押込装置を切り離す場合、収容した塵芥の弾性力を阻止する手段として、塵芥収容箱に設けた押込板を固定し、固定した押込板で塵芥の反力を直接受け、塵芥収容箱と押込板の周囲に生じている隙間を開閉扉により瞬時に包むことで、閉鎖手段は二重構造となり、塵芥，汚水の外部への流出が確実に防止され、また、塵芥収容箱に軸着した押込板の大型化が可能になり、これに伴い、圧縮面積も大きくなり、塵芥収容箱内への塵芥収容密度が上り、収容効率の高効率化を図ることができ、さらには、開閉扉の開閉に平行リンクを利用して行うため機構のシンプル化を図ることができる。
【００３５】
図７ないし図１４は、本発明による塵芥収集車の他の実施の形態を示す図である。この塵芥収集車２０は、図４に示す塵芥収集車１と同様に、シャシー２に搭載された架台３の上に塵芥収容箱４が図示しない固縛装置を介して着脱自在に搭載され、塵芥収容箱４の塵芥収容口６に押込板８が軸８ａを介して回動自在に取付けられ、塵芥押込装置１０が架台３の後部に軸１１を介してダンプ可能に支持されている。
【００３６】
上記塵芥押込装置１０は、図７に示すように、塵芥収容箱４と塵芥押込装置１０を結合するための緊締装置２１と塵芥収容箱４の押込板８に係止するための押込板係止装置２２を備えている。
【００３７】
上記緊締装置２１は、図８ないし図１０に示すように、一端をピン２３により塵芥押込装置本体側に枢支された緊締用シリンダー２４と、この緊締用シリンダー２４のピストン２４ａにピン２５により枢支されたレバー２６と、このレバー２６が装着されこのレバー２６と一体で回動するトルクシャフト２７と，このトルクシャフト２７にレバー２６と一緒に揺動するように装着された係止レバー２８とから構成されている。このトルクシャフト２７にはレバー２６に隣接してレバー３０が枢支されている。このレバー３０は、図１０に示すように、半径方向外方に同一半径線上を延びる長孔２９を有し、このレバー３０に設けた長孔２９にレバー２６に突設されたピン３１が係合されている。トルクシャフト２７にはトルクチューブ３２が外装されていて、図９に示すように、このトルクチューブ３２にレバー３０とレバー３３が装着されている。そのため、レバー３０とレバー３３は、トルクチューブ３２の回動により一体的に揺動する。レバー３３の先端部には、図８に示すように、連動杆３４の一端が連結され、この連動杆３４の他端は、塵芥押込装置側に枢支されたフックアーム３５に連結されている。このフックアーム３５はピン３６により枢着されており、このフックアーム３５に設けた緊締用フック３７は、図８で示す位置と図１１で２点鎖線で示す位置を回動し、図８で示す位置では、塵芥収容箱４に設けた係合金具３８に係合する。緊締用フック３７が、塵芥収容箱４に設けた係合金具３８に係合することで、塵芥押込装置１０と塵芥収容箱４は互いに緊締状態を保持する。
【００３８】
上記押込板係止装置２２は、図８ないし図１１に示すように、上端を緊締装置２１の係止レバー２８の先端部に当接するように塵芥押込装置本体に上下方向に移動可能に支持された押し棒３９と、中間位置をピン４０を介して塵芥押込装置本体に枢支され一端側に形成した長孔４１に押し棒３９の下端に設けたピン４２を係合することで押し棒３９に連結されたベルクランク４３と、ベルクランク４３の他端側に形成された長孔４４にピン４５を装着することでベルクランク４３に連結されたロッド４６と、中間位置を塵芥収容箱本体に枢支されかつ一端側にロッド４６が当接するベルクランク４７と、このベルクランク４７の他端側に設けた長孔４８に係合するピン４９を備えベルクランク４７に連結されたストッパピン５０とから構成されている。ストッパピン５０は、塵芥収容箱本体側で押込板８に設けた係合溝５１に対向した位置に配置されている。ベルクランク４７と塵芥収容箱本体は、図９に示すようにばね５２により連結され、また、ロッド４６と塵芥収容箱本体側は、図８に示すようにばね４６ａにより常時塵芥押込装置１０の方向に付勢されている。
【００３９】
したがって、ストッパピン５０は、図９で時計方向にばね付勢されたベルクランク４７により、押込板８に設けた係合溝５１に挿入する方向に押圧され、ロッド４６は、ベルクランク４７およびばね４６ａにより係止レバー２８の方向に押圧され、ロッド４６は係止レバー２８に当接した状態を保つ。
【００４０】
しかして、塵芥収集車２０の塵芥収集時においては、塵芥収容箱４と塵芥押込装置１０は、図７で示すように、互いに係合した状態にある。この係合した状態では、塵芥押込装置１０に枢着された緊締用シリンダー２４は、図１０に示す引き戻された位置にある。この緊締用シリンダー２４の引き戻し位置においては、緊締用シリンダー２４のピストン２４ａに枢着されたレバー２６にピン３１および長孔２９を介して連結されたレバー３０は、長孔２９の下端にピン３１が係合した図７に示す位置にある。このレバー３０の位置では、トルクシャフト２７に装着された係止レバー２８は、図８で示す最下位置にある。係止レバー２８がこの最下位置にあると、この係止レバー２８により下方に動く押し棒３９により、ベルクランク４３は、ピン４０を中心に図８で時計方向に回動し、このベルクランク４３に連結されたロッド４６は、図９で左方向に動き、塵芥収容箱４内に突出し、このロッド４６に当接するベルクランク４７が反時計方向に回動し、このベルクランク４７に連結されたストッパーピン５０が、引き戻され、これにより、ストッパーピン５０は押込板８の係合溝５１から脱出した状態を維持する。
【００４１】
これと同時に、トルクチューブ３２に装着されたレバー３３は、レバー３０と一緒に揺動し、レバー３３は、図８に示す下方位置に置かれる。このレバー３３の下方位置では、レバー３３に連結された連動杆３４は、フックアーム３３を図８で示す位置に回動し、このフックアーム３３に設けた緊締用フック３７が塵芥収容箱４の係合金具３８に引っ掛けられ、塵芥押込装置１０と塵芥収容箱４は互いに緊締状態を保つ。
【００４２】
塵芥収容により、塵芥収容箱４に塵芥が満杯になった場合において、塵芥を満載した塵芥収容箱４を架台３上から下ろすには、まず、緊締用シリンダー２４を、図７に示す引き戻し位置から図１０に示す伸長位置に作動させる。緊締用シリンダー２４のピストン２４ａが、図１３に示す位置に伸長すると、緊締用シリンダー２４のピストン２４ａに枢着されたレバー２６は、図１３で実線で示す位置に回動し、トルクシャフト２７に装着された係止レバー２８が、図１１で実線で示す位置に回動する。係止レバー２８のこの回動により押し棒３９は上方に運動し、この押し棒３９に係合したベルクランク４３は、ピン４０を中心に反時計方向に回動し、このベルクランク４３に連結されたロッド４６は、図１２に示すように、右方向に塵芥収容箱４から引き戻され、このロッド４６に当接するベルクランク４７がばね５２の力により時計方向に回動し、このベルクランク４７に連結されたストッパーピン５０が押込板８の係合溝５１に挿入され、押込板８の揺動が阻止された状態になる。
【００４３】
緊締用シリンダー２４のピストン２４ａに枢着されたレバー２６が、図１３で実線で示す位置に回動した状態では、レバー２６にピン３１および長孔２９を介して連結されたレバー３０は、ピン３１が長孔２９の下端から上端まて動くだけであるから、レバー３０は、図１３で実線で示す位置にとどまり、レバー３０は回動しない。そのため、トルクチューブ３２に装着されたレバー３３は、その位置にとどまり、フックアーム３３の緊締用フック３７は、塵芥収容箱４の係合金具３８に引っ掛けられた状態を維持し、塵芥押込装置１０と塵芥収容箱４は互いに緊締状態を保つ。
【００４４】
ストッパーピン５０が押込板８の係合溝５１に挿入され、押込板８が固定された後、緊締用シリンダー２４がピストン２４ａをさらに伸長する方向に作動すると、緊締用シリンダー２４のピストン２４ａに枢着されたレバー２６が、図１３で実線で示す位置から２点鎖線で示す位置に回動し、レバー２６にピン３１および長孔２９を介して連結されたレバー３０も、レバー２６とともに、図８で実線で示す位置から２点鎖線で示す位置に回動する。このレバー３０の回動により、トルクチューブ３２に装着されたレバー３３は、図１１で２点鎖線で示す上方位置に回動する。このレバー３３の上方位置では、レバー３３に連結された連動杆３４は、フックアーム３３を図１１で実線で示す位置から２点鎖線で示す位置に回動するので、フックアーム３３の緊締用フック３７は、ピン３６を中心に反時計方向に回動し、緊締用フック３７が塵芥収容箱４の係合金具３８から離脱し、塵芥押込装置１０と塵芥収容箱４は切り離された状態になる。
【００４５】
なお、塵芥押込装置１０と塵芥収容箱４を切り離された状態から再び図８に示すように緊締するには、緊締シリンダー２４のピストン２４ａを図１０に示す圧縮位置に戻し、緊締用フック３７を係止金具３８に引っ掛ける。これに関連して、ストッパーピン５０は押込板８の係止溝５１から脱出される。
【００４６】
上記実施の形態では、緊締用シリンダー２４の作動が、緊締装置２１と押込板係止装置２２の２つの操作に連動しているので、緊締装置２１と押込板係止装置２２の操作を別々に行うことなく押込板８を係止し、塵芥収容箱４の切り離し操作を行うことができ、操作が簡単になるのみならず、機械的な作用で２つの操作順の誤りによる各部の損傷、破損を防止し、確実に作動することができる。
【００４７】
図１４は、本発明による塵芥収集車の他の実施の形態を示す図である。この塵芥収集車６０は、図４に示す塵芥収集車１と同様に、シャシー２に搭載された架台３の上に塵芥収容箱４が図示しない固縛装置を介して着脱自在に搭載され、塵芥押込装置１０が架台３の後部に軸６１を介して回動自在に支持されている。
【００４８】
図１４に示す塵芥収集車６０においては、架台３の後部に支持部６２を突設し、この突設した支持部６２に設けた軸孔に軸６１を装着することで塵芥押込装置１０を実線で示す位置から下方に２点鎖線で示す位置に回動する。塵芥押込装置１０の軸６１を中心とした回動は油圧シリンダー６３により行なう。この油圧シリンダー６３は、一端をピン６４を介して塵芥押込装置本体に枢着され、他端をピン６５を介して架台３の支持部６２より後方の部位にピン６５を介して枢着されている。すなわち、塵芥収集車６０の架台３に軸６１を介して枢支された塵芥押込装置１０は、油圧シリンダー６３の伸縮作動によって軸６１を支点に実線で示す位置と２点鎖線で示す位置の間を反転する。
【００４９】
しかして、架台３に軸６１で枢支された塵芥押込装置１０は、油圧シリンダー６３の圧縮により、時計方向に反転して２点鎖線で示す位置に置かれ、これにより、塵芥押込装置１０と塵芥収容箱４の係合が解除され、塵芥押込装置１０の上方が塵芥収容箱４から大きく開放される。そのため、塵芥収容箱４を架台３から着脱する際に、塵芥押込装置１０が障害となることがない。
【００５０】
また、塵芥押込装置１０と塵芥収容箱４を再び係合させるには、油圧シリンダー６３を伸長させて、塵芥押込装置１０を反時計方向に反転することで行なう。
【００５１】
図１４に示す塵芥収集車６０は、塵芥押込装置１０の架台３への枢支部が低い位置で後下方に反転するため、塵芥押込装置１０の重心が下がり、塵芥収容箱４を降ろした状態における車両の安定性はよく、支柱のつけ根にかかる荷重が軽減でき、架台上の構造のシンプル化や重量軽減を図ることができ、また、塵芥押込装置１０の反転した状態において、塵芥押込装置１０を点検，修理作業を行なう時、油圧シリンダーが最圧縮位置にあるため、油圧シリンダーに油洩れなどが生じても塵芥押込装置が落下することはなく、作業時における安全性が確保される。しかも、塵芥収容口と接続している塵芥押込装置を塵芥収容口から分離すると、塵芥押込装置の上方が大きく開口するため、塵芥収容箱の積み降ろしの作業が容易になる。
【図面の簡単な説明】
【図１】  本発明による塵芥収集車を用いたコンテナ式輸送システムの工程順を示す概略図。
【図２】  図１のコンテナ式輸送システムの他の実施の形態を示す概略図。
【図３】  図１のコンテナ式輸送システムの他の実施の形態を示す概略図。
【図４】  本発明による塵芥収集車の一部を断面で示す側面図。
【図５】  図４の塵芥収集車の要部を示す図。
【図６】  図４の塵芥収集車の塵芥押込装置を回動した状態を示す図。
【図７】  本発明による塵芥収集車の他の実施の形態の一部を断面で示す側面図。
【図８】  図７の塵芥収集車の要部を示す図。
【図９】  図８の平面図。
【図１０】  図９のＡ−Ａ線に沿った断面図。
【図１１】  図７に示す塵芥収集車の作用を示す図。
【図１２】  図１１の要部を示す平面図。
【図１３】  図１２のＡ−Ａ線に沿った断面図。
【図１４】  本発明による塵芥収集車の他の実施の形態の一部を断面で示す側面図。
【符号の説明】
１  塵芥収集車
３  架台
４  コンテナ型塵芥収容箱
５  塵芥収容口
６  開閉扉
８  押込板
９  平行リンク手段
１０  塵芥押込装置
１１  軸
１３  押込板
１００  コンテナ式輸送システム
１０１  塵芥収集工程
１０２  塵芥収容箱収集工程
１０３  搬送工程
１０４  第１運搬工程
１０５  第２運搬工程
１０６  コンテナ型塵芥収容箱
１０７  塵芥収集車
【図１】
0003693406.tif 000002
【図２】
0003693406.tif 000003
【図３】
0003693406.tif 000004
【図４】
0003693406.tif 000005
【図５】
0003693406.tif 000006
【図６】
0003693406.tif 000007
【図７】
0003693406.tif 000008
【図８】
0003693406.tif 000009
【図９】
0003693406.tif 000010
【図１０】
0003693406.tif 000011
【図１１】
0003693406.tif 000012
【図１２】
0003693406.tif 000013
【図１３】
0003693406.tif 000014
【図１４】
0003693406.tif 000015